(57)【特許請求の範囲】
【請求項１】
基材シート上に少なくとも透明性樹脂層及び表面保護層を順に有し、且つ、前記基材シートの裏面に少なくともバッカー層を有する化粧シートであって、
（１）前記化粧シートの表面の十点平均粗さＲｚｊｉｓが４０μｍ以上であり、
（２）前記表面保護層が電離放射線硬化型樹脂を含み、
（３）前記基材シート、前記透明性樹脂層及び前記バッカー層が、いずれも非ハロゲン系熱可塑性樹脂を含み、
（４）前記バッカー層の厚みが１２０〜２５０μｍであり、
（５）前記バッカー層のマルテンス硬さが５０〜８０Ｎ／ｍｍ２であり、
（６）前記バッカー層は、前記基材シートの裏面に配置してなる、バッカー層形成用樹脂組成物である、
ことを特徴とする化粧シート。
【請求項２】
前記透明性樹脂層上に艶調整層を有し、且つ、前記艶調整層は、前記表面保護層と隣接している、請求項１に記載の化粧シート。
【請求項３】
請求項１又は２に記載の化粧シートのロール状物。
【請求項４】
被着材上に、請求項１若しくは２に記載の化粧シート、又は請求項３に記載のロール状物由来の化粧シートが積層された、化粧板。
【請求項５】
基材シート上に少なくとも透明性樹脂層及び表面保護層が順に積層されており、且つ、前記基材シートの裏面に少なくともバッカー層が積層されている化粧シートの製造方法であって、以下の工程１〜３：
(i)基材シート上に、少なくとも透明性樹脂層及び表面保護層を順に有する積層シートであって、
前記表面保護層が電離放射線硬化型樹脂を含み、
前記基材シート及び前記透明性樹脂層が、いずれも非ハロゲン熱可塑性樹脂を含む、積層シートを得る工程１、
(ii)前記積層シートの前記表面保護層の上からエンボス加工を施すことにより、前記積層シートの表面の十点平均粗さＲｚｊｉｓを４０μｍ以上にする工程２、並びに、
(iii)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程３、
を順に含むことを特徴とする化粧シートの製造方法。
【請求項６】
基材シート上に少なくとも透明性樹脂層及び表面保護層が順に積層されており、且つ、前記基材シートの裏面に少なくともバッカー層が積層されている化粧シートの製造方法であって、以下の工程１〜４：
(i)基材シート上に、少なくとも透明性樹脂層を有する積層体であって、
前記基材シート及び前記透明性樹脂層が、いずれも非ハロゲン熱可塑性樹脂を含む、積層体を得る工程１、
(ii)前記積層体の前記透明性樹脂層の上からエンボス加工を施す工程２、
(iii)前記透明性樹脂層上に、電離放射線硬化型樹脂を含む表面保護層形成用樹脂組成物を塗工することにより、
基材シート上に、少なくとも透明性樹脂層及び表面保護層を有する積層シートであって、
前記積層シートの表面の十点平均粗さＲｚｊｉｓが４０μｍ以上である積層シートを得る工程３、並びに、
(iv)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程４、
を順に含むことを特徴とする化粧シートの製造方法。
【請求項７】
請求項５又は６に記載の化粧シートの製造方法により得られた化粧シートの表面保護層が最表面層となるように、前記化粧シートを被着材上に積層する化粧板の製造方法。
【発明の詳細な説明】
【技術分野】
【０００１】
本発明は、化粧シート及びその製造方法、並びに、化粧板及びその製造方法に関する。
【背景技術】
【０００２】
従来、建築物の内装に用いられる内装材には意匠性が求められており、このような内装材として化粧板が用いられている。特に、床面に用いられる化粧板の表面には、意匠性と共に耐傷性が求められる。
【０００３】
また、欧米の文化では住宅等の屋内でも土足で歩行することが通常となっているため、欧米の室内用の床には耐傷性を考慮して、主に低圧メラミンフロアが用いられている。しかし、低圧メラミンフロアは歩行の際に音が響き易く、触感が硬く、冷たいという問題がある。
【０００４】
近年、低圧メラミンフロアに代わり、被着材としての一般的にコルクに代表されるチップボードに塩化ビニル樹脂の化粧シート（塩化ビニル系化粧シート）を貼り合わせたフロア（いわゆるハイブリッドフロア）が用いられている。チップボードとは、製材工場で廃棄される材木屑や、樹皮、小径丸太や解体工事現場で廃棄される建築廃材等を機械的に粉砕してチップ状とし、合成樹脂接着剤と共に圧縮成形して板材に成形して得られる基材である。
【０００５】
上述のハイブリットフロアは被着材としてチップボードを用いることにより、環境にやさしく、遮音、断熱効果があり、触感が柔らかいという点で優れており、更に化粧シートを貼り合わせることで、施工時の色のばらつきが抑制される。しかし、前記被着材に塩化ビニル系化粧シートを貼り合わせると貼り上がりが悪くなるので、硬質の塩化ビニル樹脂からなるバッカー層を使用する必要があるが、かかるバッカー層を使用した塩化ビニル系化粧シートでは被着材への貼り合わせが枚葉貼りに制限される（即ち、上記塩化ビニル系化粧シートでは、被着材への貼り合わせとしてロールラミネートを採用することが困難である）。そのため、上記塩化ビニル系化粧シートは生産性が悪いという問題がある。しかも、欧州では環境問題を考慮して塩化ビニル系樹脂の規制が進んでいる。これらの問題への対策として、塩化ビニル系樹脂を用いない化粧板が求められている。
【０００６】
一方、日本では、塩化ビニル系樹脂を用いない化粧板として、例えばオレフィン系樹脂を使用した化粧シートを被着材に貼り合せた化粧板が用いられている。しかし、このような化粧シートをチップボード等の被着材に貼り合わせて化粧板とすると、チップボードの表面凹凸形状が化粧シート表面に表出し、化粧板の表面が平滑にならないという問題がある（なお、チップボードの表面凹凸形状によって化粧シート表面に表出する凹凸形状を「ダク」ともいう）。また、化粧シートの厚みを厚くする方法により化粧板の表面の平滑性を向上させると、化粧シートが厚いためにエンボス賦形性に劣り、また、エンボス形状が浅くなると被着材に貼り合せた際にエンボスつぶれを生じ、意匠性が低下するという問題がある。また、化粧シートの厚みを厚くすると、化粧シートをロール状態で保存する際に、巻きぐせによりロールラミネートが困難になるという問題がある。
【先行技術文献】
【特許文献】
【０００７】
【特許文献１】特開２００３−０１３５８７号公報
【発明の概要】
【発明が解決しようとする課題】
【０００８】
本発明は、塩化ビニル系樹脂の規制が進んでいる欧州等でも使用することができ、チップボード等の被着材に貼り合わせて化粧板を得た場合に当該被着材の凹凸形状が化粧板表面に表出することが抑制されており、エンボス賦形性に優れ、被着材に貼り合わせた際のエンボスつぶれが抑制されており、耐カール性に優れ、且つ、ロール状態となるように巻き取ることが可能な化粧シートを提供することを目的とする。
【課題を解決するための手段】
【０００９】
本発明者等は、鋭意研究を重ねた結果、基材シート上に少なくとも透明性樹脂層及び表面保護層が順に積層されており、且つ、前記基材シートの裏面に少なくともバッカー層が積層されている化粧シートであって、化粧シートの表面粗さを特定の範囲とし、基材シート、透明性樹脂層及び表面保護層が特定の樹脂を含んだ上で、押出し成形によって特定の樹脂を含み特定の厚み及び硬さを有するバッカー層を積層する場合には、上記目的を達成できることを見出し、本発明を完成するに至った。
【００１０】
即ち、本発明は、下記の化粧シート及びその製造方法、並びに、化粧板及びその製造方法に関する。
１．基材シート上に少なくとも透明性樹脂層及び表面保護層を順に有し、且つ、前記基材シートの裏面に少なくともバッカー層を有する化粧シートであって
（１）前記化粧シートの表面の十点平均粗さＲｚｊｉｓが４０μｍ以上であり、
（２）前記表面保護層が電離放射線硬化型樹脂を含み、
（３）前記基材シート、前記透明性樹脂層及び前記バッカー層が、いずれも非ハロゲン系熱可塑性樹脂を含み、
（４）前記バッカー層の厚みが１２０〜２５０μｍであり、
（５）前記バッカー層のマルテンス硬さが５０〜８０Ｎ／ｍｍ２であり、
（６）前記バッカー層は、前記基材シートの裏面に配置してなるバッカー層形成用樹脂組成物である、
ことを特徴とする化粧シート。
２．前記透明性樹脂層上に艶調整層を有し、且つ、前記艶調整層は、前記表面保護層と隣接している、上記項１に記載の化粧シート。
３．上記項１又は２に記載の化粧シートのロール状物。
４．被着材上に、上記項１若しくは２に記載の化粧シート、又は請求項３に記載のロール状物由来の化粧シートが積層された、化粧板。
５．基材シート上に少なくとも透明性樹脂層及び表面保護層が順に積層されており、且つ、前記基材シートの裏面に少なくともバッカー層が積層されている化粧シートの製造方法であって、以下の工程１〜３：
(i)基材シート上に、少なくとも透明性樹脂層及び表面保護層を順に有する積層シートであって、
前記表面保護層が電離放射線硬化型樹脂を含み、
前記基材シート及び前記透明性樹脂層が、いずれも非ハロゲン熱可塑性樹脂を含む、積層シートを得る工程１、
(ii)前記積層シートの前記表面保護層の上からエンボス加工を施すことにより、前記積層シートの表面の十点平均粗さＲｚｊｉｓを４０μｍ以上にする工程２、並びに、
(iii)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程３、
を順に含むことを特徴とする化粧シートの製造方法。
６．基材シート上に少なくとも透明性樹脂層及び表面保護層が順に積層されており、且つ、前記基材シートの裏面に少なくともバッカー層が積層されている化粧シートの製造方法であって、以下の工程１〜４：
(i)基材シート上に、少なくとも透明性樹脂層を有する積層体であって、
前記基材シート及び前記透明性樹脂層が、いずれも非ハロゲン熱可塑性樹脂を含む、積層体を得る工程１、
(ii)前記積層体の前記透明性樹脂層の上からエンボス加工を施す工程２、
(iii)前記透明性樹脂層上に、電離放射線硬化型樹脂を含む表面保護層形成用樹脂組成物を塗工することにより、
基材シート上に、少なくとも透明性樹脂層及び表面保護層を有する積層シートであって、
前記積層シートの表面の十点平均粗さＲｚｊｉｓが４０μｍ以上である積層シートを得る工程３、並びに、
(iv)前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程４、
を順に含むことを特徴とする化粧シートの製造方法。
７．上記項５又は６に記載の化粧シートの製造方法により得られた化粧シートの表面保護層が最表面層となるように、前記化粧シートを被着材上に積層する化粧板の製造方法。
【発明の効果】
【００１１】
本発明の化粧シートは、化粧シートの表面粗さを特定の範囲とし、基材シート、透明性樹脂層及び表面保護層が特定の樹脂を含んだ上で、押出し成形によって特定の樹脂を含み特定の厚み及び硬さを有するバッカー層を積層する場合、塩化ビニル系樹脂の規制が進んでいる欧州等でも使用することができ、チップボード等の被着材に貼り合わせて化粧板を得た場合に、当該被着材の凹凸形状が化粧板表面に表出することが抑制されており、エンボス賦形性に優れ、被着材に貼り合わせて化粧板を得た場合のエンボスつぶれが抑制されており、耐カール性に優れ、さらに化粧シート表面に割れが生じることなく、歪みのないロール状態となるように巻き取ることが可能である。
【図面の簡単な説明】
【００１２】
【図１】本発明の化粧シートの一例を模式的に示した断面図である。
【図２】マルテンス硬さの測定方法を示す図である。具体的には、本明細書におけるマルテンス硬さの測定に用いるダイヤモンド圧子(a)、押し込み操作の模式図(b)及び押し込み荷重と変位の一例(c)を示す図である。
【図３】本発明の化粧シートの一例を模式的に示した断面図である。
【図４】本発明の化粧シートの一例を模式的に示した断面図である。
【図５】本発明の化粧シートの一例を模式的に示した断面図である。
【発明を実施するための形態】
【００１３】
以下、本発明の化粧シート、化粧シートの製造方法、化粧板及び化粧板の製造方法について説明する。
【００１４】
≪１．本発明の化粧シート≫
本発明の化粧シートは、基材シート上に少なくとも透明性樹脂層及び表面保護層が順に積層されており、且つ、前記基材シートの裏面に少なくともバッカー層が積層されている化粧シートであって、
（１）前記化粧シートの表面の十点平均粗さＲｚｊｉｓが４０μｍ以上であり、
（２）前記表面保護層が電離放射線硬化型樹脂を含み、
（３）前記基材シート、前記透明性樹脂層及び前記バッカー層が、いずれも非ハロゲン系熱可塑性樹脂を含み、
（４）前記バッカー層の厚みが１２０〜２５０μｍであり、
（５）前記バッカー層のマルテンス硬さが５０〜８０Ｎ／ｍｍ２であり、
（６）前記バッカー層は、前記基材シートの裏面に対してバッカー層形成用樹脂組成物を溶融状態で押出し成形することにより積層される、
ことを特徴とする。
【００１５】
本発明の化粧シートは、化粧シートの表面粗さが特定の範囲であって、且つ、基材シート、透明性樹脂層及び表面保護層がそれぞれ特定の樹脂を含んだ上で、押出し成形によって特定のバッカー層を積層する場合（即ち、上記（１）〜（６）の要件を全て満たす場合）、以下の(a)〜(f)：
(a)  塩化ビニル系樹脂の規制が進んでいる欧州等でも使用することができる、
(b)  チップボード等の被着材に貼り合わせて化粧板を得た場合に、当該被着材の凹凸形状が化粧板表面に表出することが抑制されている（被着材の凹凸形状に追従するダクが抑制されている）、
(c)  エンボス賦形性に優れる、
(d)  被着材に貼り合わせて化粧板を得た場合のエンボスつぶれが抑制されている、
(e)  耐カール性に優れる、
(f)  化粧シート表面に割れが生じることなく、歪みのないロール状態となるように巻き取ることが可能である、
という効果が得られる。
【００１６】
以下、本発明の化粧シートを構成する各層及び化粧シート全体の詳細について具体的に説明する。
【００１７】
本発明の化粧シートは、基材シート上に、少なくとも透明性樹脂層及び表面保護層が順に積層されており、且つ、基材シートの裏面に少なくともバッカー層が積層された上で、上記（１）〜（６）の要件を満たす限り、層構成及び各層を構成する樹脂成分などは特に限定されない。層構成としては、例えば、基材シート上に、着色隠蔽層、絵柄模様層、透明性接着剤層、透明性樹脂層、プライマー層及び表面保護層が順に積層されており、且つ、基材シートの裏面にバッカー層及び裏面プライマー層が順に積層された化粧シートが挙げられる（なお、当該化粧シートは、裏面プライマー層上に、バッカー層、基材シート、着色隠蔽層、絵柄模様層、透明性接着剤層、透明性樹脂層、プライマー層及び表面保護層が順に積層された層構成ともいえる）。
ここで、本明細書では、基材シートから見て表面保護層が積層されている方向を「上」又は「おもて面」と称し、基材シートから見てバッカー層が積層されている方向を「下」又は「裏面」と称する。化粧シート又は化粧板の「おもて面（側）」又は「表面保護層（側）の面」とは、化粧シート又は化粧板の施工後に視認される面を意味する。
【００１８】
基材シート
本発明の化粧シートは、基材シートを有する。当該基材シートは、非ハロゲン系熱可塑性樹脂を含有する。なお、基材シートを構成する樹脂成分は、非ハロゲン系熱可塑性樹脂であることが好ましい。
【００１９】
上記非ハロゲン系熱可塑性樹脂としては、低密度ポリエチレン（前記低密度ポリエチレンは線状低密度ポリエチレンを包含する），中密度ポリエチレン，高密度ポリエチレン，エチレン−αオレフィン共重合体，ポリプロピレン（前記ポリプロピレンはホモポリプロピレンを包含する），ポリメチルペンテン，ポリブテン，エチレン−プロピレン共重合体，プロピレン−ブテン共重合体，エチレン−酢酸ビニル共重合体，エチレン−酢酸ビニル共重合体ケン化物、又は、これらの混合物等のオレフィン系熱可塑性樹脂、ポリエチレンテレフタレート，ポリブチレンテレフタレート，ポリエチレンナフタレート，ポリエチレンナフタレート−イソフタレート共重合体，ポリカーボネート，ポリアリレート等の熱可塑性エステル系樹脂、ポリメタアクリル酸メチル，ポリメタアクリル酸エチル，ポリアクリル酸エチル，ポリアクリル酸ブチル等のアクリル系熱可塑性樹脂、ナイロン−６，ナイロン−６６等のポリアミド系熱可塑性樹脂、又は、ポリイミド、ポリウレタン、ポリスチレン、アクリロニトリル−ブタジエン−スチレン樹脂等が挙げられる。また、これらの非ハロゲン系熱可塑性樹脂は単独で用いてもよいし、２種以上を混合して用いてもよい。中でも、絵柄模様層の印刷適性及びエンボス加工適性に優れ、安価である点で、オレフィン系熱可塑性樹脂が好ましい。
【００２０】
基材シートは、着色されていてもよい。この場合は、上記のような非ハロゲン系熱可塑性樹脂に対して着色材（顔料又は染料）を添加して着色することができる。着色材としては、例えば、二酸化チタン、カーボンブラック、酸化鉄等の無機顔料、フタロシアニンブルー等の有機顔料のほか、各種の染料も使用することができる。これらは、公知又は市販のものから１種又は２種以上を選ぶことができる。また、着色材の添加量も、所望の色合い等に応じて適宜設定すれば良い。
【００２１】
基材シートには、必要に応じて、充填剤、艶消し剤、発泡剤、難燃剤、滑剤、帯電防止剤、酸化防止剤、紫外線吸収剤、光安定化剤等の各種の添加剤が含まれていてもよい。
【００２２】
基材シートの厚みは、特に限定されないが、５０〜１００μｍが好ましい。基材シートの厚みが上記範囲内であることにより、被着材の凹凸形状によって化粧板表面に表出する凹凸をさらに抑制できると共に、化粧シートをロール状態で保存した際に巻きぐせをさらに抑制してロールラミネートをより適切に行うことができる。
【００２３】
基材シートは、絵柄模様層を形成するインキの密着性を高めるために表面（おもて面）にコロナ放電処理を施してもよい。コロナ放電処理の方法・条件は、公知の方法に従って実施すれば良い。また、必要に応じて、基材シートの裏面にコロナ放電処理を施してもよい。
【００２４】
バッカー層
本発明の化粧シートは、基材シートの裏面側にバッカー層を有する。ここで、バッカー層は、化粧シート（及び化粧板）において衝撃吸収等を目的とした緩衝層を意味する。バッカー層は、非ハロゲン系熱可塑性樹脂を含有する。なお、バッカー層を構成する樹脂成分は、非ハロゲン系熱可塑性樹脂であることが好ましい。
【００２５】
上記非ハロゲン系熱可塑性樹脂としては、基材シートで例示された各樹脂と同様の樹脂が挙げられる。なお、非ハロゲン系熱可塑性樹脂は、単独又は２種以上を混合して使用してもよい。上記非ハロゲン系熱可塑性樹脂の中でも、オレフィン系熱可塑性樹脂が好ましい。
【００２６】
バッカー層は、基材シートと同様、着色されていてもよい。着色方法としては、基材シートによる着色方法と同様の方法が挙げられる。また、バッカー層は、基材シートと同様、各種添加剤（充填剤、艶消し剤、発泡剤、難燃剤、滑剤、帯電防止剤、酸化防止剤、紫外線吸収剤、光安定化剤等）が含まれていてもよい。
【００２７】
バッカー層は、基材シートの裏面に対して、バッカー層形成用樹脂組成物を溶融状態で押出し成形することにより積層される。具体的には、(1)バッカー層を構成する樹脂成分（例：非ハロゲン系熱可塑性樹脂等）、及び(2)必要に応じて、着色材や上記各種添加剤、などを含有するバッカー層形成用樹脂組成物を溶融状態で押出し成形することによって、当該組成物を製膜しながら基材シート裏面に積層する。これにより、基材シートの裏面にバッカー層が形成される。バッカー層は、押出し成形時に溶融している樹脂の熱によって基材シートと接着する。本発明では、上記押出し成形によりバッカー層が積層されるので、エンボス加工等によって基材シート裏面に凹部が生じていても当該凹部に空気が入り込むことなく、密着性良く基材シート裏面に積層される。なお、本明細書において、「溶融状態」とは、後述する「押出し成形」により成形可能な状態を意味する。
【００２８】
押出し成形としては、公知の押出成形法を採用することができる。例えば、Ｔダイ押出し機、円筒押出し機等による押出し成形が挙げられる。Ｔダイとしては、マルチマニホールドタイプやフィードブロックタイプが挙げられる。
【００２９】
バッカー層の厚みは、１２０〜２５０μｍである。バッカー層の厚みが１２０μｍ未満であると、被着材の凹凸形状の化粧板表面への表出を十分に抑制できない。また、バッカー層の厚みが２５０μｍを超えると、化粧シートをロール状態で保存した際に巻きぐせがつくことにより、ロールラミネートが困難となる。バッカー層の厚みは、上述の範囲内であれば、最終製品の用途、使用方法等により適宜設定できるが、１２０〜１８０μｍが好ましい。
【００３０】
バッカー層のマルテンス硬さは、５０〜８０Ｎ／ｍｍ２である。バッカー層のマルテンス硬さが５０Ｎ／ｍｍ２未満であると、被着材の凹凸形状の化粧板表面への表出を十分に抑制できない。また、バッカー層のマルテンス硬さが８０Ｎ／ｍｍ２を超えると、化粧シートをロール状態で保存した際に化粧シート表面に割れが生じる。バッカー層のマルテンス硬さは、上述の範囲内であれば、最終製品の用途、使用方法等により適宜設定できるが、５０〜６０Ｎ／ｍｍ２が好ましい。
【００３１】
本明細書において、マルテンス硬さは、表面皮膜物性試験機（ＰＩＣＯＤＥＮＴＯＲ ＨＭ−５００、株式会社フィッシャー・インストルメンツ製）を用いて測定される値であり、具体的な測定方法は次の通りである。この測定方法では、図２（ａ）に示されるダイヤモンド圧子（ビッカーズ圧子）を用いて、図２（ｂ）に示すように測定試料にダイヤモンド圧子を押し込み、表面にできたピラミッド形のくぼみの対角線の長さからその表面積Ａ（ｍｍ２）を計算し、試験荷重Ｆ（Ｎ）を割ることにより硬さを求める。押し込み条件は、室温（実験室環境温度）において、図２（ｃ）に示される通り、先ず０〜５ｍＮまでの負荷を１０秒間で加え、次に５ｍＮの負荷で５秒間保持し、最後に５〜０ｍＮまでの除荷を１０秒間で行う。そして、表面積Ａ、試験荷重Ｆに基づきＦ／Ａ（＝Ｆ÷Ａ）により求められる硬度が上記マルテンス硬さである。なお、本明細書では、バッカー層以外の層の硬度の影響を回避するためにバッカー層の断面のマルテンス硬さを測定した。これに際し、化粧シートを樹脂（冷間硬化タイプのエポキシ２液硬化樹脂）で埋包し、室温で２４時間以上放置して硬化させた後、硬化した埋包サンプルを機械研磨してバッカー層の断面を露出させ、当該断面にダイヤモンド圧子を押し込むことにより断面のマルテンス硬さを測定した。
【００３２】
バッカー層のマルテンス硬さは、１）樹脂成分を適宜選択する、２）複数の樹脂成分を混合する、３）樹脂にエラストマーを添加する、等によって適宜設定することができる。
【００３３】
バッカー層には、必要に応じて、コロナ放電処理、プラズマ処理、脱脂処理、表面粗面化処理等の公知の易接着処理を接着面に施すこともできる。また、被着材との接着性を考慮して、バッカー層の裏面にプライマー層（裏面プライマー層）をさらに設けてもよい。
【００３４】
裏面プライマー層は、公知のプライマー剤をバッカー層に塗布することにより形成できる。プライマー剤としては、例えば、アクリル変性ウレタン樹脂（アクリルウレタン系樹脂）等からなるウレタン樹脂系プライマー剤、ウレタン−セルロース系樹脂（例えば、ウレタンと硝化綿の混合物にヘキサメチレンジイソシアネートを添加してなる樹脂）からなるプライマー剤、アクリルとウレタンのブロック共重合体からなる樹脂系プライマー剤等が挙げられる。プライマー剤には、必要に応じて、添加剤を配合してもよい。添加剤としては、例えば、炭酸カルシウム、クレー等の充填剤、水酸化マグネシウム等の難燃剤、酸化防止剤、滑剤、発泡剤、紫外線吸収剤、光安定剤などが挙げられる。添加剤の配合量は、製品特性に応じて適宜設定できる。
【００３５】
プライマー剤の塗布量は特に限定されないが、通常０．１〜１００ｇ／ｍ２、好ましくは０．１〜５０ｇ／ｍ２程度である。
【００３６】
裏面プライマー層の厚みは特に限定されないが、通常０．０１〜１０μｍ、好ましくは０．１〜１μｍ程度である。
【００３７】
絵柄模様層
本発明の化粧シートは、基材シート上に絵柄模様層を有していてもよい。
【００３８】
絵柄模様層は、化粧シートに所望の絵柄（意匠）を付与する層であり、絵柄の種類等は限定的ではない。例えば、木目模様、レザー模様、石目模様、砂目模様、タイル貼模様、煉瓦積模様、布目模様、幾何学図形、文字、記号、抽象模様等が挙げられる。
【００３９】
絵柄模様層の形成方法は特に限定されず、例えば、公知の着色剤（染料又は顔料）を結着材樹脂とともに溶剤（又は分散媒）中に溶解（又は分散）して得られるインキを用いた印刷法により、基材シート表面に形成すればよい。インキとしては、化粧シートのＶＯＣを低減する観点からは水性組成物を用いることもできる。
【００４０】
着色剤としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等が挙げられる。これらの着色剤は、単独又は２種以上を混合して使用できる。これらの着色剤は、シリカ等のフィラー、有機ビーズ等の体質顔料、中和剤、界面活性剤等とともに用いてもよい。
【００４１】
結着材樹脂としては、親水性処理されたポリエステル系ウレタン樹脂のほか、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。より具体的には、例えば、ポリアクリルアミド系樹脂、ポリ（メタ）アクリル酸系樹脂、ポリエチレンオキシド系樹脂、ポリＮ−ビニルピロリドン系樹脂、水溶性ポリエステル系樹脂、水溶性ポリアミド系樹脂、水溶性アミノ系樹脂、水溶性フェノール系樹脂、その他の水溶性合成樹脂；ポリヌクレオチド、ポリペプチド、多糖類等の水溶性天然高分子；等も使用することができる。また、例えば、天然ゴム、合成ゴム、ポリ酢酸ビニル系樹脂、（メタ）アクリル系樹脂、ポリ塩化ビニル系樹脂、ポリウレタン−ポリアクリル系樹脂等が変性したものないし前記天然ゴム等の混合物、その他の樹脂を使用することもできる。上記結着材樹脂は、単独又は２種以上を組み合わせて用いることができる。
【００４２】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−2−メトキシエチル、酢酸−2−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤；ジクロロメタン、四塩化炭素、トリクロロエチレン、テトラクロロエチレン等の塩素系有機溶剤；水等の無機溶剤等が挙げられる。これらの溶剤（又は分散媒）は、単独又は2種以上を混合して使用できる。
【００４３】
絵柄模様層の形成に用いる印刷法としては、例えば、グラビア印刷法、オフセット印刷法、スクリーン印刷法、フレキソ印刷法、静電印刷法、インクジェット印刷法等が挙げられる。また、全面ベタ状の絵柄模様層を形成する場合には、例えば、ロールコート法、ナイフコート法、エアーナイフコート法、ダイコート法、リップコート法、コンマコート法、キスコート法、フローコート法、ディップコート法等の各種コーティング法が挙げられる。その他、手描き法、墨流し法、写真法、転写法、レーザービーム描画法、電子ビーム描画法、金属等の部分蒸着法、エッチング法等を用いたり、他の形成方法と組み合わせて用いたりしてもよい。
【００４４】
絵柄模様層の厚みは特に限定されず、製品特性に応じて適宜設定できるが、塗工時の層厚は１〜１５μｍ程度、乾燥後の層厚は０．１〜１０μｍ程度である。
【００４５】
着色隠蔽層
基材シートと絵柄模様層との間には、必要に応じて、更に着色隠蔽層を形成してもよい。着色隠蔽層は、化粧シートのおもて面から木質系基材等の被着材の地色を隠蔽したい場合に設けられる。基材シートが透明性である場合は勿論、基材シートが隠蔽着色されている場合でも、隠蔽性を安定化するために形成してもよい。
【００４６】
着色隠蔽層を形成するインクとしては、絵柄模様層を形成するインクであって隠蔽着色が可能なものが使用できる。
【００４７】
着色隠蔽層の形成方法は、基材シート全体を被覆（全面ベタ状）するように形成できる方法が好ましい。例えば、前記したロールコート法、ナイフコート法、エアーナイフコート法、ダイコート法、リップコート法、コンマコート法、キスコート法、フローコート法、ディップコート法等が好ましいものとして挙げられる。
【００４８】
着色隠蔽層の厚さは特に限定されず、製品特性に応じて適宜設定できるが、塗工時の厚さは０．２〜１０μｍ、乾燥後の厚さは０．１〜５μｍ程度である。
【００４９】
透明性接着剤層
透明性樹脂層と絵柄模様層との密着性を高めるため、絵柄模様層上に透明性接着剤層を形成してもよい。透明性接着剤層は、透明性のものであれば特に限定されず、無色透明、着色透明、半透明等のいずれも含む。
【００５０】
接着剤としては特に限定されず、化粧シートの分野で公知の接着剤が使用できる。化粧シートの分野で公知の接着剤としては、例えば、ポリアミド樹脂、アクリル樹脂、酢酸ビニル樹脂等の熱可塑性樹脂、ウレタン系樹脂等の熱硬化性樹脂等が挙げられる。これら接着剤は１種単独で又は２種以上を組み合わせて用いることができる。また、イソシアネートを硬化剤とする二液硬化型ポリウレタン樹脂又はポリエステル樹脂も適用し得る。
【００５１】
透明性接着剤層の厚みは特に限定されないが、乾燥後の厚みが０．１〜３０μｍ程度、好ましくは１〜２０μｍ程度である。
【００５２】
透明性樹脂層
本発明の化粧シートは、基材シート上に透明性樹脂層を有する。
【００５３】
透明性樹脂層は、透明性のものであれば特に限定されず、無色透明、着色透明、半透明等のいずれも包含する。上記透明性樹脂層は、非ハロゲン系熱可塑性樹脂を含有する。なお、透明性樹脂層を構成する樹脂成分は、非ハロゲン系熱可塑性樹脂であることが好ましい。
【００５４】
上記非ハロゲン系熱可塑性樹脂としては、基材シートで例示された各樹脂と同様の樹脂が挙げられる。なお、非ハロゲン系熱可塑性樹脂は、単独又は２種以上を混合して使用してもよい。上記非ハロゲン系熱可塑性樹脂の中でも、オレフィン系熱可塑性樹脂が好ましい。
【００５５】
なお、透明性樹脂層は、透明性を有する限り、着色されていても良いが、特に着色剤を配合しない方が望ましい。
【００５６】
透明性樹脂層の厚みは、２０〜２００μｍ程度が好ましく、８０〜１２０μｍがより好ましい。化粧シートの用途等に応じて上記範囲を超えても良い。
【００５７】
プライマー層
透明性樹脂層の上には、プライマー層を設けてもよい。
【００５８】
プライマー層は、上述の裏面プライマー層と同様、公知のプライマー剤を透明性樹脂層の片面又は両面に塗布することにより形成できる。プライマー剤としては、上述の裏面プライマー層で挙げられたプライマー剤と同様のものを使用することができる。また、プライマー層は、必要に応じて添加剤を配合してもよい。添加剤の種類及び配合量は、裏面プライマー層における添加剤の種類及び配合量と同様である。
【００５９】
プライマー剤の塗布量は特に限定されないが、通常０．１〜１００ｇ／ｍ２、好ましくは０．１〜５０ｇ／ｍ２程度である。
【００６０】
プライマー層の厚みは特に限定されないが、通常０．０１〜１０μｍ、好ましくは０．１〜１μｍ程度である。
【００６１】
艶調整層
本発明の化粧シートには、艶調整層が形成されていてもよい。艶調整層が形成されている化粧シートの形態としては、例えば、図３〜図５の形態が挙げられる。
【００６２】
本発明の化粧シートに艶調整層が形成されている場合、前記艶調整層は、前記透明性樹脂層上に、後述する表面保護層と隣接するようにして形成される。より具体的には、艶調整層の裏面が前記透明性樹脂層（又は、本発明の化粧シートが前記プライマー層を有する場合は、当該プライマー層）のおもて面と隣接しており、且つ、艶調整層のおもて面及び／又は側面が表面保護層と隣接している。
【００６３】
艶調整層は、意匠性の観点から、(1)おもて面側（化粧シート又は化粧板の施工後に視認される面側）の面の一部分に形成されていてもよく、また、(2)おもて面側の全面（面全体）に形成されていてもよい。つまり、艶調整層は、(1)おもて面側の面を基準として、部分的に形成されていてもよく、また、(2)おもて面側の面を基準として、全体にわたって形成されていてもよい。
【００６４】
前記(1)艶調整層がおもて面側の面の一部分に形成されている場合、(a)表面保護層は、おもて面側の面の一部分に形成されていてもよく、また、(b)表面保護層は、おもて面側の全面に形成されていてもよい。艶調整層および表面保護層の両者ともおもて面側の面の一部分に形成されている場合（上記(1)の(a)の場合）、前記表面保護層は、前記艶調整層が形成されていない領域（存在しない領域）を埋めるようにして形成されている。
図３の形態では、艶調整層がおもて面側の面の一部分に形成されており、且つ、表面保護層がおもて面側の全面に形成されている（上記(1)の(b)の形態）。図４の形態では、艶調整層がおもて面側の面の一部分に形成されており、且つ、表面保護層がおもて面側の面の一部分に形成されている（上記(1)の(a)の形態）。
【００６５】
一方、前記(2)艶調整層がおもて面側の全面に形成されている場合、表面保護層はおもて面側の面の一部分に形成されている。図５の形態では、艶調整層がおもて面側の全面に形成されており、且つ、表面保護層がおもて面側の面の一部分に形成されている（上記(2)の形態）。
【００６６】
ここで、艶調整層の艶値をＧＡ、表面保護層の艶値をＧＰとする。本発明の化粧シートが艶調整層を有する場合、艶調整層の艶値ＧＡと後述する表面保護層の艶値ＧＰとの関係は、ＧＰ≠ＧＡである。ここで、本明細書における前記ＧＡと前記ＧＰは、日本工業規格JIS Z8741に準拠して測定された値である。具体的には、本発明では、グロス計として日本電色工業株式会社製ＰＧ−３Ｄを用いて、入射角＝６０°の条件で艶値を測定している。なお、本明細書において、艶値を、光沢値又はグロス値ともいう。
【００６７】
前記(1)艶調整層がおもて面側の面の一部分に形成されている場合、又は、前記(2)艶調整層がおもて面側の全面に形成されている場合、のいずれであっても、化粧シート又は化粧板の施工後に視認される面には、艶調整層及び表面保護層の両者が視認され、且つ、前記艶調整層及び前記表面保護層のそれぞれの艶値の関係はＧＰ≠ＧＡである。よって、本発明の化粧シートを被着材に貼着させた際に化粧シート表面に生じる凹凸形状（ダク）の影響はより抑制され、前記化粧シート又は化粧板の意匠性が向上する。そのため、艶調整層が形成されている本発明の化粧シートは、本発明として好ましい態様である。
【００６８】
次に、前記(1)艶調整層がおもて面側の面の一部分に形成されている場合（単に、前記(1)の場合、とも称する）について説明する。前記(1)の場合、化粧シート又は化粧板のおもて面の面積１ｃｍ２当たりに占める艶調整層が形成されている領域の面積の割合は、２０〜８０％であることが好ましい。この場合、艶調整層の前記おもて面（視認される面）側が絵柄状となるように艶調整層が形成されることが好ましい。艶調整層が絵柄状であり、且つ、前記面積の割合が２０〜８０％であることにより、艶調整層と表面保護層の艶差がより明瞭となり、結果として意匠性をさらに向上させ、且つ、前記凹凸形状の影響をさらに抑制することが可能となる。なお、艶調整層が前記絵柄状となるように形成される場合、前記絵柄の種類は特に限定されない。前記絵柄の具体的な種類としては、例えば、前述の絵柄模様層で例示された各種絵柄と同様のものが挙げられる。
【００６９】
本明細書において、化粧シート又は化粧板のおもて面の面積１ｃｍ２当たりに占める艶調整層が形成されている領域（艶調整層が存在する領域）の面積の割合を、艶調整層の占有面積割合と称する場合がある。前記艶調整層の占有面積割合は、艶調整層を形成するための版を作製する段階での製版データから算出している。前記艶調整層の占有面積割合は、当該版の形状から算出することもできる。
【００７０】
前記(1)の場合、前記凹凸形状の影響をさらに抑制する（前記凹凸形状をさらに見え難くする）ために、前記ＧＡと前記ＧＰの関係はＧＡ＜ＧＰが好ましい。より好ましくは、ＧＡ＜ＧＰであり、且つ、ＧＡ≦５である。
【００７１】
次に、前記(2)艶調整層がおもて面側の全面に形成されている場合（単に、前記(2)の場合、とも称する）について説明する。前記(2)の場合、表面保護層はおもて面側の面の一部分に形成される。この場合、表面保護層の前記おもて面（視認される面）側が絵柄状となるように表面保護層が形成されることが好ましい。これにより、艶調整層と表面保護層の艶差がより明瞭となり、結果として意匠性をさらに向上させ、且つ、前記凹凸形状の影響をさらに抑制することが可能となる。なお、表面保護層が前記絵柄状となるように形成される場合、前記絵柄の種類は特に限定されない。前記絵柄の具体的な種類としては、例えば、前述の絵柄模様層で例示された各種絵柄と同様のものが挙げられる。
【００７２】
前記(2)の場合、前記凹凸形状の影響をさらに抑制する（前記凹凸形状をさらに見え難くする）ために、前記ＧＡと前記ＧＰの関係は|ＧＰ−ＧＡ|≧２が好ましく、|ＧＰ−ＧＡ|≧１０がより好ましい（言い換えれば、艶調整層の艶値と表面保護層の艶値の差が２以上であることが好ましく、前記差が１０以上であることが好ましい）。ここで、前記ＧＡと前記ＧＰの関係は、ＧＡ＜ＧＰであってもよく、また、ＧＰ＜ＧＡであってもよい。つまり、艶調整層の方が表面保護層よりも低艶であってもよく、また表面保護層の方が艶調整層よりも低艶であってもよい（なお、ＧＡ＜ＧＰである場合は艶調整層が低艶の層であり、ＧＰ＜ＧＡである場合は表面保護層が低艶の層である）。前記(2)の場合、化粧シート又は化粧板のおもて面の面積１ｃｍ２当たりに占める低艶の層が存在する領域の面積の割合が５０％を超えていることが好ましい。
【００７３】
本明細書において、化粧シート又は化粧板のおもて面の面積１ｃｍ２当たりに占める表面保護層が形成されている領域（表面保護層が存在する領域）の面積の割合を、表面保護層の占有面積割合と称する場合がある。前記表面保護層の占有面積割合は、表面保護層を形成するための版を作製する段階での製版データから算出している。前記表面保護層の占有面積割合は、当該版の形状から算出することもできる。一方、化粧シート又は化粧板のおもて面の面積１ｃｍ２当たりに占める、低艶の層が露出している領域の面積の割合（低艶の層の露出面積割合）は、(i)低艶の層が表面保護層である場合は、前記表面保護層の占有面積割合がそのまま前記低艶の層の占有面積割合となり、(ii)低艶の層が艶調整層である場合は、前記表面保護層の占有面積割合を算出した後、１００(％)に対して前記表面保護層の占有面積割合を引く（マイナスする）ことにより得られる。
【００７４】
艶調整層の形成方法は、特に限定されず、例えば、前述の絵柄模様層と同様、公知の着色剤（染料、顔料等）、ビヒクル等とともに溶剤（又は分散媒）中に溶解（又は分散）させて得られるインキにより形成することができる。着色剤及び溶剤については、それぞれ前述の絵柄模様層における着色剤及び溶剤で例示された着色剤及び溶剤と同様のものを使用することができる。
【００７５】
艶調整層を形成するインキのビヒクルとしてはウレタン系樹脂及び／又はポリビニルアセタール系樹脂を５０質量％以上含有しているものが好ましい。前記ウレタン系樹脂は、ポリオール成分として、アクリルポリオール、ポリエステルポリオール、ポリエーテルポリオール等のポリオールと、イソシアネート成分として、トリレンジイソシアネート、キシレンジイソシアネート、ジフェニルメタンジイソシアネート等の芳香族イソシアネート、イソホロンジイソシアネート、ヘキサメチレンジイソシアネート、水添トリレンジイソシアネート等の脂肪族ないし脂環式イソシアネート等のイソシアネートとを反応させてなるウレタン樹脂（線状に架橋したもの、あるいは、網目状に架橋したもののいずれであってもよい）を挙げることができる。また、ポリビニルアセタール系樹脂は、ポリビニルアルコールとアルデヒド類との縮合（アセタール化）により得られる。ポリビニルアセタール系樹脂としては、ポリビニルホルマール（ホルマール樹脂）、ポリビニルアセトアセタール、ポリビニルプロピオナール、ポリビニルブチラール（ブチラール樹脂）、ポリビニルへキシラール等を挙げることができる。中でも、溶剤に可溶でありインキ化し易く、視覚的凹凸感の発現（視覚的に凹部として認識されること）が良好であるなどの理由から、特にポリビニルブチラールが好ましい。
【００７６】
また、必要に応じて、艶値を調整するため、不飽和ポリエステル系樹脂、アクリル系樹脂、塩化ビニル−酢酸ビニル共重合体等の艶調整樹脂を混合して用いてもよい。艶調整樹脂を使用する場合、その混合割合はビヒクルの全量に対して１０〜５０質量％の範囲が好ましい。また、艶調整層を形成するインキは、無着色であっても、顔料等の着色剤を加えて着色したものであってもよいものである。
【００７７】
また、艶調整層を形成するためのインキに体質顔料を配合してもよい。体質顔料を配合する場合、光の散乱を助長し、前記凹凸形状（ダク）消し効果を一層高めることができる。体質顔料としては特に限定されるものではないが、たとえば、シリカ、タルク、クレー、硫酸バリウム、炭酸バリウム、硫酸カルシウム、炭酸カルシウム、炭酸マグネシウム等から適宜選択される。これらの中で、吸油度、粒径、細孔容積等の材料設計の自由度が高く、意匠性、白さ、インキとしての塗布安定性に優れた材料であるシリカが好ましく、特に微粉末のシリカが好ましい。なお、体質顔料を使用する場合、その含有量は、体質顔料以外のインキ（インキ組成物）１００質量部に対して５〜１５質量部が好ましい。
【００７８】
艶調整層の艶値ＧＡは、上述のビヒクル、艶調整樹脂、着色剤（体質顔料含む）等の各物質の種類を選定する方法；上記各物質の含有量を適宜設定する方法；などによって、調整することができる。
【００７９】
艶調整層の形成に用いる印刷法としては、例えば、前述の絵柄模様層の形成に用いる印刷法と同様、グラビア印刷法、オフセット印刷法、スクリーン印刷法、フレキソ印刷法、静電印刷法、インクジェット印刷法等が挙げられる。また、全面ベタ状の艶調整層を形成する場合は、絵柄模様層の形成における各種コーティング法と同様の方法が挙げられる。
【００８０】
艶調整層がおもて面側の面の一部分に形成されている場合（前記(1)の場合）、艶調整層は絵柄状となるように形成されることが好ましい。特に、艶調整層は、ドット状、格子状、木目導管柄（状）等のパターン状に形成されていることがより好ましい。艶調整層が上記パターン状に形成されていることにより、艶調整層のある領域の艶が、艶調整層以外の領域（艶調整層のない領域）の艶よりも一層艶差が生じるので、凹部があるかのような目の錯覚を生じ独特の立体感として視認される。そのため、前記凹凸形状（ダク）がより一層目立たなくなる。
【００８１】
本発明の化粧シートに前述の絵柄模様層が形成されている場合、艶調整層を当該絵柄模様層の模様に連動（同調）するように形成することが好ましい。例えば、絵柄模様層が木目模様調で形成されている場合、木目導管柄調にパターン印刷して艶調整層を形成することで、より意匠性に優れた化粧シートが得られる。
【００８２】
艶調整層の厚さ（膜厚）としては、印刷適性や表面保護層形成用樹脂組成物との相互作用を考慮すると０．５μｍ〜５μｍが好ましい。
【００８３】
表面保護層
本発明の化粧シートは、透明性樹脂層上に表面保護層を有する。
【００８４】
本発明の化粧シートが前記艶調整層を有する場合、表面保護層は前述の艶調整層と隣接するように形成されている。具体的には、表面保護層の裏面及び／又は側面が前記艶調整層と隣接している。本発明の化粧シートが前記艶調整層を有する場合、表面保護層は透明性であることが好ましい。
【００８５】
表面保護層は、電離放射線硬化型樹脂を含有する（即ち、表面保護層を構成する樹脂成分が電離放射線硬化型樹脂を含有する）。なお、表面保護層を構成する樹脂成分は、電離放射線硬化型樹脂であることが好ましい。
【００８６】
電離放射線硬化型樹脂としては特に限定されず、紫外線、電子線等の電離放射線の照射により重合架橋反応可能なラジカル重合性二重結合を分子中に含むプレポリマー（オリゴマーを含む）及び／又はモノマーを主成分とする透明性樹脂が使用できる。これらのプレポリマー又はモノマーは、単体又は複数を混合して使用できる。硬化反応は、通常、架橋硬化反応である。
【００８７】
具体的には、前記プレポリマー又はモノマーとしては、分子中に（メタ）アクリロイル基、（メタ）アクリロイルオキシ基等のラジカル重合性不飽和基、エポキシ基等のカチオン重合性官能基等を有する化合物が挙げられる。また、ポリエンとポリチオールとの組み合わせによるポリエン／チオール系のプレポリマーも好ましい。ここで、（メタ）アクリロイル基とは、アクリロイル基又はメタクリロイル基の意味である。
【００８８】
ラジカル重合性不飽和基を有するプレポリマーとしては、例えば、ポリエステル（メタ）アクリレート、ウレタン（メタ）アクリレート、エポキシ（メタ）アクリレート、メラミン（メタ）アクリレート、トリアジン（メタ）アクリレート、シリコーン（メタ）アクリレート等が挙げられる。これらの分子量としては、通常２５０〜１０００００程度が好ましい。
【００８９】
ラジカル重合性不飽和基を有するモノマーとしては、例えば、単官能モノマーとして、メチル（メタ）アクリレート、２−エチルヘキシル（メタ）アクリレート、フェノキシエチル（メタ）アクリレート等が挙げられる。また、多官能モノマーとしては、例えば、ジエチレングリコールジ（メタ）アクリレート、プロピレングリコールジ（メタ）アクリレート、トリメチロールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が挙げられる。
【００９０】
カチオン重合性官能基を有するプレポリマーとしては、例えば、ビスフェノール型エポキシ樹脂、ノボラック型エポキシ化合物等のエポキシ系樹脂、脂肪酸系ビニルエーテル、芳香族系ビニルエーテル等のビニルエーテル系樹脂のプレポリマーが挙げられる。また、チオールとしては、例えば、トリメチロールプロパントリチオグリコレート、ペンタエリスリトールテトラチオグリコレート等のポリチオールが挙げられる。ポリエンとしては、例えば、ジオール及びジイソシアネートによるポリウレタンの両端にアリルアルコールを付加したものが挙げられる。
【００９１】
電離放射線硬化型樹脂を硬化させるために用いる電離放射線としては、電離放射線硬化型樹脂（組成物）中の分子を硬化反応させ得るエネルギーを有する電磁波又は荷電粒子が用いられる。通常は紫外線又は電子線を用いればよいが、可視光線、Ｘ線、イオン線等を用いてもよい。
【００９２】
電離放射線硬化型樹脂は、１種又は２種以上を併用して用いることができる。
【００９３】
電離放射線硬化型樹脂の中でも、電子線硬化型樹脂（ＥＢ樹脂）が好ましい。電子線硬化型樹脂としては、ウレタンアクリレート系電子線硬化型樹脂が挙げられる。
【００９４】
表面保護層は、電離放射線硬化型樹脂の他に、その他の樹脂を含有してもよい。電離放射線硬化型樹脂以外の樹脂としては、２液硬化型ウレタン系樹脂が挙げられる。
【００９５】
２液硬化型ウレタン系樹脂としては特に限定されないが、中でも主剤としてＯＨ基を有するポリオール成分（アクリルポリオール、ポリエステルポリオール、ポリエーテルポリオール、エポキシポリオール等）と、硬化剤成分であるイソシアネート成分（トリレンジイソシアネート、ヘキサメチレンジイソシアネート、メタキシレンジイソシアネート等）とを含むものが使用できる。
【００９６】
上記例示の樹脂については１種又は２種以上を併用して用いることができる。
【００９７】
表面保護層には、耐候性を向上させるために、ベンゾトリアゾール系、ベンゾフェノン系、サリシレート系、トリアジン系などの紫外線吸収剤を添加するのが好ましい。紫外線を照射して樹脂層を硬化させる場合には、光重合開始剤として、アセトフェノン類、ベンゾフェノン類、ミヒラーベンゾイルベンゾエート、α−アミノキシムエステル、テトラメチルチウラムモノサルファイド、チオキサントン類、芳香族ジアゾニウム塩、芳香族スルホニウム塩、メタロセン等、光重合促進剤（増感剤）としてｎ−ブチルアミン、トリエチルアミン、トリ−ｎ−ブチルホスフィン等を用いることができる。
【００９８】
また表面保護層には、抗菌性を付与する為に、抗菌剤を添加してもよい。抗菌剤としては、無機系抗菌剤、及び有機系抗菌剤がある。特に無機系抗菌剤は有機系抗菌剤に比べ一般に安全性が高く、耐久性、及び耐熱性にも優れているため望ましい。無機系抗菌剤とは、銀をはじめとする銅、亜鉛等の抗菌性金属を各種の無機物担体に担持したものである。抗菌剤の添加量は、表面保護層を構成する樹脂成分１００質量部に対して０．１〜１０質量部が好ましい。
【００９９】
また表面保護層には、必要に応じて、溶剤、染料、顔料等の着色剤、増量剤等の充填剤、消泡剤、レベリング剤、チクソトロピー性付与剤等の各種添加剤を加えることができる。
【０１００】
表面保護層は、例えば、透明性樹脂層上又は艶調整層上に(1)電離放射線硬化型樹脂、及び(2)必要に応じて、その他の樹脂、紫外線吸収剤、抗菌剤、上記各種添加剤、などを含有する表面保護層形成用樹脂組成物をグラビアコート、ロールコート等の公知の塗工法により塗工後、電離放射線硬化型樹脂を硬化させることにより形成できる。ここで、表面保護層を化粧シートのおもて面側の面の一部分に形成する場合、前記表面保護層形成用樹脂組成物を部分的に（例えば、パターン状に）塗工し、次いで前記樹脂組成物中の電離放射線硬化型樹脂を硬化させることにより前記表面保護層を形成することができる。また、表面保護層を化粧シートのおもて面側の全面に形成する場合、前記表面保護層形成用樹脂組成物を全面に（全体にわたって）塗工し、次いで前記樹脂組成物中の電離放射線硬化型樹脂を硬化させることにより前記表面保護層を形成することができる。
【０１０１】
表面保護層の艶値ＧＰは、表面保護層に含まれる樹脂成分、添加剤等の各物質の種類を選定する方法；上記各物質の含有量を適宜設定する方法；などによって、調整することができる。
【０１０２】
表面保護層の厚みは、特に限定されず、最終製品の特性に応じて適宜設定できるが、０．１〜５０μｍが好ましく、１〜３０μｍがより好ましい。
【０１０３】
十点平均粗さＲｚｊｉｓ
本発明の化粧シートの表面（表面保護層表面）の十点平均粗さＲｚｊｉｓは４０μｍ以上である。そのため、化粧シートの意匠性に優れる。上記十点平均粗さＲｚｊｉｓは、４０〜１２０μｍが好ましい。
【０１０４】
本発明では、後述するエンボス加工を行う（施す）ことにより、好適に十点平均粗さＲｚｊｉｓが４０μｍ以上である化粧シート表面を得ることができる。なお、エンボス加工は、後述の通り、(1)透明性樹脂層若しくは艶調整層に対して行ってもよく、また、(2)表面保護層に対して行ってもよい。
【０１０５】
本明細書において、十点平均粗さＲｚｊｉｓ（μｍ）は、ＪＩＳ  Ｂ  ０６０１：２００１に準拠して測定された値である。具体的には、十点平均粗さＲｚｊｉｓは、断面曲線から、その平均線の方向に基準長さＬだけ抜き取り、この抜き取り部分の平均線から、最も高い山頂から５番目までの山頂の標高(Ｙｐ)の絶対値の平均値と、最も低い谷底から５番目までの谷底の標高(Ｙｖ)の絶対値の平均値との和である。
【０１０６】
本明細書において、化粧シートの十点平均粗さＲｚｊｉｓは、以下の(A)〜(C)のように決定されたものである。
(A)  まず、化粧シートを１５ｃｍ×１５ｃｍに切り出す。
(B)  当該切り出された化粧シートの表面粗さを、表面粗さ形状測定機：サーフコムＦＬＥＸ５０Ａ（（株）東京精密）にて測定する。上記化粧シートの表面粗さ測定は、測定距離２ｃｍ分の表面粗さを、エンボス模様が木目模様等の場合は木目模様と直角になる方向で、エンボス模様が木目模様等以外の場合は任意の方向で測定する。
(C)  上記(B)の工程を、任意の３点で行うことで３つのＲｚｊｉｓ値を得て、当該３つのＲｚｊｉｓの内の最低値（下限値）を決定する。このＲｚｊｉｓの最低値が４０(μｍ)以上であれば、本発明における上記（１）の要件を満たす、としている。
【０１０７】
十点平均粗さＲｚｊｉｓは、エンボス版の深さや形状等の選定、エンボス加工を施す最表面層（表面保護層又は透明性樹脂層）の選定、エンボス加工する際の加熱温度や加圧するときの圧力の設定、透明性樹脂層又は表面保護層を構成する樹脂成分の選定や厚さの設定、などによって調整することができる。
【０１０８】
エンボス加工
本発明では、エンボス加工により好適に表面の十点平均粗さＲｚｊｉｓが４０μｍ以上である化粧シートが得られる。本明細書において、エンボス加工により施される形状を、エンボス形状（模様）ともいう。
【０１０９】
エンボス形状は、上記透明性樹脂層を形成した後、透明性樹脂層側からエンボス加工が施されることにより形成されてもよい（後述する化粧シートの製造方法２）。また、エンボス形状は、上記透明性樹脂層の上に上記表面保護層を積層した後、表面保護層側からエンボス加工が施されることにより形成されていてもよい（後述する化粧シートの製造方法１）。
【０１１０】
エンボス加工方法は、特に限定されず、例えば、透明性樹脂層又は表面保護層のおもて面を加熱軟化させてエンボス版により加圧・賦形後、冷却する方法が好ましい方法として挙げられる。エンボス加工には、公知の枚葉式又は輪転式のエンボス機が用いられる。エンボス形状としては、例えば、浮造り模様（浮出した年輪の凹凸模様）、木目導管溝、石板表面凹凸（花崗岩劈開面等）、布表面テクスチャア、梨地、砂目、ヘアライン、万線条溝等がある。
【０１１１】
本発明のロール状物
本発明の化粧シートは、ロール状に巻かれていてもよい。即ち、本発明では、当該本発明の化粧シートをロール状に巻くことにより、ロール状物が得られる。当該本発明のロール状物は、歪みのない円形ロール状の化粧シートであって、ロール状物中の化粧シート表面には割れがない。さらに、当該本発明のロール状物は、巻き出し（繰り出し）てもカールが抑制されている。このように、本発明の化粧シートは、好適にロール状に巻かれることができるので、ロール状物として保管しやすい。
【０１１２】
本発明の化粧シートをロール状に巻き取る方法としては、特に限定されず、例えば、巻き取り機の使用、人による巻き取り等が挙げられる。巻き取り機を使用する際の巻き取り方式についても、特に限定されず、例えば、中心駆動巻き取り(center winding)、表面駆動巻き取り（surface winding）、中心表面巻き取り（center-surface winding）のいずれも採用することができる。
【０１１３】
本発明のロール状物のロール径は、特に限定されないが、３００ｍｍ〜１０００ｍｍが好ましい。また、当該ロール状物の幅（化粧シートの幅）は、特に限定されないが、４００ｍｍ〜１２４０ｍｍが好ましい。
【０１１４】
なお、本発明のロール状物は、(1)円形ロール状の中心に芯材を含むロール状物、(2)円形ロール状の中心に上記芯材を含まないロール状物、のいずれも包含する。即ち、本発明のロール状物は、上記芯材を有していてもよく、また上記芯材を有していなくてもよい。上記芯材の材質は特に限定されず、紙、木、金属、樹脂（例えば、アクリロニトリル−ブタジエン−スチレン(ABS)、ポリプロピレン(PP)、ポリエチレン(PE)、繊維強化プラスチック(FRP)等）などが挙げられる。また、上記芯材の断面の形状は、特に限定されず、円形、四角形、五角形、六角形等のいずれであってもよい。芯材の長さは、上記ロール状物の幅よりも長いことが好ましい。
【０１１５】
≪２．本発明の化粧シートの製造方法１≫
本発明の化粧シートの製造方法（製造方法１）は、基材シート上に少なくとも透明性樹脂層及び表面保護層が順に積層されており、且つ、前記基材シートの裏面に少なくともバッカー層が積層されている化粧シートの製造方法であって、以下の工程１〜３：
(i)  基材シート上に、少なくとも透明性樹脂層及び表面保護層を順に有する積層シートであって、
前記表面保護層が電離放射線硬化型樹脂を含み、
前記基材シート及び前記透明性樹脂層が、いずれも非ハロゲン熱可塑性樹脂を含む、積層シートを得る工程１、
(ii)  前記積層シートの前記表面保護層の上からエンボス加工を施すことにより、前記積層シートの表面の十点平均粗さＲｚｊｉｓを４０μｍ以上にする工程２、並びに、
(iii)  前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程３、
を順に含むことを特徴とする。当該製造方法によれば、本発明の化粧シートを好適に得ることができる。
【０１１６】
工程１では、基材シート上に、少なくとも透明性樹脂層及び表面保護層を順に有する積層シートを得る。当該積層シートは、本発明の化粧シートの中間体であって、バッカー層を有していないものである。当該積層シート中の上記基材シート、透明性樹脂層、及び表面保護層の詳細については、それぞれ、上述の項目１．本発明の化粧シート における基材シート、透明性樹脂層、及び表面保護層での説明と同様である。
【０１１７】
工程１で上記積層シートを得る際に、必要に応じて、着色隠蔽層、絵柄模様層、透明性接着剤層、プライマー層、艶調整層等の各層を形成してもよい。前記各層の詳細については、それぞれ、上述の項目１．本発明の化粧シート における着色隠蔽層、絵柄模様層、透明性接着剤層、プライマー層、及び艶調整層での説明と同様である。
【０１１８】
工程２では、積層シートの表面保護層の上からエンボス加工を施すことにより、積層シートの表面の十点平均粗さＲｚｊｉｓを４０μｍ以上にする（これにより、表面の十点平均粗さＲｚｊｉｓが４０μｍ以上である積層シートが得られる）。上記エンボス加工及び積層シートの表面の十点平均粗さＲｚｊｉｓの詳細については、それぞれ、上述の項目１．本発明の化粧シート におけるエンボス加工及び十点平均粗さＲｚｊｉｓと同様である。
【０１１９】
工程３では、基材シートの裏面に対してバッカー層形成用樹脂組成物を溶融状態で押出し成形することにより、基材シート裏面にバッカー層を積層する。バッカー層、及びバッカー層形成用樹脂組成物を押出し成形する工程の詳細については、それぞれ、上述の項目１．本発明の化粧シート におけるバッカー層での説明と同様である。バッカー層を形成した後は、必要に応じて、前述の裏面プライマー層を形成してもよい。前記裏面プライマー層の詳細については、上述の項目１．本発明の化粧シートにおける裏面プライマー層での説明と同様である。
【０１２０】
≪３．本発明の化粧シートの製造方法２≫
本発明の化粧シートの製造方法（製造方法２）は、基材シート上に少なくとも透明性樹脂層及び表面保護層が順に積層されており、且つ、前記基材シートの裏面に少なくともバッカー層が積層されている化粧シートの製造方法であって、以下の工程１〜４：
(i)  基材シート上に、少なくとも透明性樹脂層を有する積層体であって、
前記基材シート及び前記透明性樹脂層が、いずれも非ハロゲン熱可塑性樹脂を含む、積層体を得る工程１、
(ii)  前記積層体の前記透明性樹脂層の上からエンボス加工を施す工程２、
(iii)  前記透明性樹脂層上に、電離放射線硬化型樹脂を含む表面保護層形成用樹脂組成物を塗工することにより、
基材シート上に、少なくとも透明性樹脂層及び表面保護層を有する積層シートであって、
前記積層シートの表面の十点平均粗さＲｚｊｉｓが４０μｍ以上である積層シートを得る工程３、並びに、
(iv)  前記基材シートの裏面に対してバッカー層形成用樹脂組成物を溶融状態で押出し成形することにより、
前記バッカー層が非ハロゲン系熱可塑性樹脂を含み、
前記バッカー層の厚みが１２０〜２５０μｍであり、
前記バッカー層のマルテンス硬さが５０〜８０Ｎ／ｍｍ２である、
バッカー層を積層する工程４、
を順に含むことを特徴とする。当該製造方法によれば、本発明の化粧シートを好適に得ることができる。
【０１２１】
工程１では、基材シート上に、少なくとも透明性樹脂層を有する積層体を得る。当該積層体は、本発明の化粧シートの中間体であって、且つ、後述する積層シートの中間体でもある。当該積層体は、バッカー層及び表面保護層を有していない。当該積層体中の上記基材シート及び透明性樹脂層の詳細については、それぞれ、上述の項目１．本発明の化粧シート における基材シート及び透明性樹脂層での説明と同様である。
【０１２２】
工程１で上記積層体を得る際に、必要に応じて、着色隠蔽層、絵柄模様層、透明性接着剤層、プライマー層、艶調整層等の各層を形成してもよい。前記各層の詳細については、それぞれ、上述の項目１．本発明の化粧シート における着色隠蔽層、絵柄模様層、透明性接着剤層、プライマー層、及び艶調整層での説明と同様である。
【０１２３】
工程２では、前記積層体の透明性樹脂層の上からエンボス加工を施す。工程２で得られた（エンボス形状による）積層体の表面の十点平均粗さＲｚｊｉｓは特に限定されず、後述する工程３後及び４後において積層シート又は化粧シート表面の十点平均粗さＲｚｊｉｓが４０μｍ以上となるように、透明性樹脂層の上からエンボス加工を施せばよい。
【０１２４】
工程３では、透明性樹脂層上に、電離放射線硬化型樹脂を含む表面保護層形成用樹脂組成物を塗工することにより、表面の十点平均粗さＲｚｊｉｓが４０μｍ以上である積層シートを得る。表面保護層、及び表面保護層形成用樹脂組成物を塗工する工程の詳細については、上述の項目１．本発明の化粧シート における表面保護層での説明と同様である。なお、当該積層シートは、本発明の化粧シートの中間体であって、バッカー層を有していないものである。
【０１２５】
工程３の前記表面保護層形成用樹脂組成物を塗工する前に、必要に応じて、プライマー層、艶調整層等の各層を形成してもよい。前記各層の詳細については、それぞれ、上述の項目１．本発明の化粧シート におけるプライマー層、及び艶調整層での説明と同様である。
【０１２６】
工程４では、基材シートの裏面に対してバッカー層形成用樹脂組成物を溶融状態で押出し成形することにより、基材シート裏面にバッカー層を積層する。バッカー層、及びバッカー層形成用樹脂組成物を押出し成形する工程の詳細については、上述の項目１．本発明の化粧シート におけるバッカー層での説明と同様である。バッカー層を形成した後は、必要に応じて、前述の裏面プライマー層を形成してもよい。前記裏面プライマー層の詳細については、上述の項目１．本発明の化粧シート における裏面プライマー層での説明と同様である。
【０１２７】
≪４．本発明の化粧板及びその製造方法≫
本発明の化粧シートを被着材上に積層することにより、化粧板とすることができる。また、本発明のロール状物を巻き出して得られる化粧シートを被着材上に積層することにより、化粧板とすることもできる。本発明の化粧板は、本発明の化粧シートの表面保護層が最表面層となるように、前記本発明の化粧シートを被着材上に積層することにより得られる。
【０１２８】
被着材は、限定的でなく、公知の化粧板に用いられるものと同様のものを用いることができる。上記被着材としては、例えば、木質材、金属、セラミックス、プラスチックス、ガラス等が挙げられる。特に、本発明の化粧シートは、木質材に好適に使用することができる。木質材としては、具体的には、杉、檜、欅、松、ラワン、チーク、メラピー等の各種素材から作られた突板、木材単板、木材合板、パーティクルボード、中密度繊維板（ＭＤＦ）、チップボード、又はチップボードが積層された複合基材等が挙げられる。上記木質材としては、チップボード、又はチップボードが積層された複合基材を用いることが好ましい。
【０１２９】
化粧シートと被着材とを積層する積層方法は限定的でなく、例えば接着剤により化粧シートを被着材に貼着する方法等を採用することができる。接着剤は、被着材の種類等に応じて公知の接着剤から適宜選択すればよい。例えば、ポリ酢酸ビニル、ポリ塩化ビニル、塩化ビニル・酢酸ビニル共重合体、エチレン・アクリル酸共重合体、アイオノマー等のほか、ブタジエン・アクリルニトリルゴム、ネオプレンゴム、天然ゴム等が挙げられる。これら接着剤は、単独で又は２種以上を組み合わせて用いる。
【０１３０】
このようにして製造された化粧板は、例えば、壁、天井、床等の建築物の内装材；バルコニー、ベランダ等の外装材；窓枠、扉、手すり等の建具の表面化粧板や家具；又は弱電、ＯＡ機器等のキャビネットの表面化粧板等に用いることができる。特に、上記化粧板は床用化粧材として好適に用いることができる。
【実施例】
【０１３１】
以下に実施例及び比較例を示して本発明を具体的に説明する。但し、本発明は実施例に限定されない。
【０１３２】
実施例１
６０μｍ厚さの着色ポリプロピレン（ＰＰ）フィルムからなる基材シート（アートプライ、三菱樹脂株式会社製）のおもて面に、厚さ２μｍの絵柄模様層を印刷により形成した。絵柄模様層上にウレタン系樹脂（セイカボンドＥ−２６３／Ｃ−７５Ｎ、大日精化工業株式会社製）からなる２μｍ厚さの透明性の接着剤層を形成した。接着剤層上に、厚さ１００μｍの透明ポリプロピレン(ＰＰ)系樹脂のシート（ノバテックＰＰ、日本ポリプロ株式会社製）を押出しラミネート方式で積層し、透明性樹脂層を形成した。
【０１３３】
次いで、当該透明性樹脂層の表面にコロナ放電処理を施した後、前記透明性樹脂層の上に2液硬化型ウレタン樹脂を塗工することにより、プライマー層（表面保護層形成用プライマー層、厚さ２μｍ）を形成した。
【０１３４】
プライマー層のおもて面に、ウレタンアクリレート系電子線硬化型樹脂(ＥＢ樹脂)からなる表面保護層形成樹脂組成物を、硬化後の厚さ（層厚）が１５μｍとなるようにグラビアコート方式で塗工した後、次いで酸素濃度２００ｐｐｍ以下の環境下、電子線照射装置を用いて加速電圧１７５ＫｅＶ、５Ｍｒａｄの条件で電子線を照射して前記電子線硬化型樹脂を硬化させた。これにより、表面保護層を形成した。前記電子線硬化型樹脂の配合は、以下の通りである。
・２官能ウレタンアクリレート（Ｔｇ＝２５（℃）、分子量１５００）８０質量部
・６官能ウレタンアクリレート（Ｔｇ＝２００（℃）以上、分子量１５００）２０質量部
さらに、表面保護層側を赤外線非接触方式のヒーターで加熱することにより基材シート及び透明性樹脂層を柔らかくした後、直ちにエンボス加工を施す（具体的には、後述する木目模様が付されたエンボス版で熱圧する）ことで、エンボス模様（木目模様（木目１））を形成した。
【０１３５】
次に、基材シート裏面に、ホモポリプロピレン製の樹脂層を溶融押出しラミネート方式で積層することにより、バッカー層を形成した（具体的には、ホモポリプロピレンからなるバッカー層形成用樹脂組成物を溶融状態で押出し成形することにより、基材シート裏面にバッカー層を形成及び積層した）。
【０１３６】
さらに、当該バッカー層の裏面にコロナ放電処理を施した後、裏面プライマー層（厚さ２μｍ）を形成した。
【０１３７】
以上により、実施例１の化粧シートを得た。
＜実施例１の化粧シートの各物性＞
化粧シート表面の十点平均粗さ（前記エンボス模様によるエンボス形状の十点平均粗さ）Ｒｚｊｉｓは７１μｍであり、バッカー層の厚みは１２０μｍであり、バッカー層のマルテンス硬さは５０〜６０Ｎ／ｍｍ２であった。なお、前記Ｒｚｊｉｓを測定する際の測定距離は２ｃｍとした。また、前記マルテンス硬さは、バッカー層の断面方向で測定した。また、表面保護層の艶値（入射角６０°）を、日本電色工業株式会社製ＰＧ−３Ｄを使用して測定したところ、前記艶値（ＧＰ）は１３であった。
【０１３８】
実施例２
まず、基材シート、絵柄模様層、接着剤層、透明性樹脂層及びプライマー層を形成した。前記各層は、それぞれ、実施例１と同様の方法により形成した。
次いで、前記プライマー層のおもて面に対して、化粧シートの表面保護層側の面１ｃｍ２当たりに占める艶調整層の面積の割合が５０％となるように（最終的に作製される化粧シートのおもて面から見たときの艶調整層の占有面積割合が５０％となるように）パターン状の艶調整層を形成した。なお、前記艶調整層は、マットインキ（数平均分子量３０００、ガラス転移温度(Ｔｇ)−６２．８℃のポリエステルウレタン系印刷インキ１００質量部に対して、シリカ粒子１０質量部を配合した印刷インキ組成物）を用いて、グラビア印刷法にて乾燥後の艶調整層の厚さが２μｍとなるように木目導管柄を塗布することによって形成した。
次に、前記艶調整層の上に、表面保護層を全面に形成した後、さらに前記表面保護層側に対してエンボス模様を形成した。前記表面保護層、及び前記エンボス模様は、それぞれ、実施例１と同様の方法により形成した。
次に、基材シート裏面にバッカー層を形成した後、さらに前記バッカー層の裏面に裏面プライマー層を形成した。前記バッカー層、及び前記裏面プライマー層は、それぞれ、実施例１と同様の方法により形成した。
【０１３９】
以上により、実施例２の化粧シートを得た。
【０１４０】
なお、前記表面保護層形成用樹脂組成物を塗布する前に、艶調整層に対して入射角６０°で光を入射した時の艶値を測定したところ、前記艶値（ＧＡ）は２であった。また、前記化粧シートとは別に、艶調整層を形成しない以外は実施例２の化粧シートと同様の化粧シートを、表面保護層の艶値測定用として作製した。当該測定用化粧シートの表面保護層に対して入射角６０°で光を入射した時の艶値を測定したところ、前記艶値（ＧＰ）は１３であった。実施例２の化粧シートにおける艶調整層及び表面保護層の艶値（入射角６０°）は、それぞれ上記艶値をもって決定した。艶値（入射角６０°）は、日本電色工業株式会社製ＰＧ−３Ｄを使用して測定した。
【０１４１】
実施例３
まず、基材シート、絵柄模様層、接着剤層、透明性樹脂層及びプライマー層を形成した。前記各層は、それぞれ、実施例１と同様の方法により形成した。
次いで、前記プライマー層のおもて面の全面に対して艶調整層（乾燥後の厚さ：２μｍ）を形成した。なお、前記艶調整層の形成に際には、実施例２で使用したマットインキと同様のインキを使用した。
次に、前記艶調整層の上に、化粧シートの表面保護層側の面１ｃｍ２当たりに占める表面保護層の面積の割合が３０％となるように（艶調整層が露出している領域の面積の割合（低艶の層の露出面積割合）が７０％となるように）パターン状の表面保護層を形成した。なお、前記表面保護層の形成の際には、実施例１で使用した表面保護層形成樹脂組成物と同様の樹脂組成物を使用した。また、電子線硬化型樹脂の硬化についても実施例１と同様の方法により行った。
次に、前記表面保護層側に対してエンボス模様を形成した。前記エンボス模様は、実施例１と同様の方法により形成した。
次に、基材シート裏面にバッカー層を形
成した後、さらに前記バッカー層の裏面に裏面プライマー層を形成した。前記バッカー層、及び前記裏面プライマー層は、それぞれ、実施例１と同様の方法により形成した。
【０１４２】
以上により、実施例３の化粧シートを得た。
【０１４３】
なお、前記表面保護層形成用樹脂組成物を塗布する前に、艶調整層に対して入射角６０°で光を入射した時の艶値を測定したところ、前記艶値（ＧＡ）は２であった。また、前記化粧シートとは別に、艶調整層を形成しない以外は実施例３の化粧シートと同様の化粧シートを、表面保護層の艶値測定用として作製した。当該測定用化粧シートの表面保護層に対して入射角６０°で光を入射した時の艶値を測定したところ、前記艶値（ＧＰ）は１３であった。実施例３の化粧シートにおける艶調整層及び表面保護層の艶値（入射角６０°）は、それぞれ上記艶値をもって決定した。艶値（入射角６０°）は、日本電色工業株式会社製ＰＧ−３Ｄを使用して測定した。
【０１４４】
実施例４〜１３
（1）バッカー層を構成する樹脂成分、及び／又は、(2)バッカー層の厚みを表２及び３に示すように適宜変更した。また、（3）エンボス形状のエンボス模様を表２及び３に示すように、表４に示す木目１〜５に適宜変更した。更に、（4）バッカー層のマルテンス硬さを表２及び３に示すように適宜変更した。それ以外は実施例１と同様にして、実施例４〜１３の化粧シートを調製した。なお、(1)バッカー層を構成する樹脂成分を変更することで、バッカー層のマルテンス硬さを変更することができる。表１〜３中、樹脂Ａ、Ｃ及びＤはホモポリプロピレンであり、樹脂Ｂはポリエチレンテレフタレート（ＰＥＴ）である。
【０１４５】
比較例１〜４
(1)バッカー層を構成する樹脂成分、及び／又は、(2)バッカー層の厚みを適宜変更する以外は、実施例１と同様にして、比較例１〜４の化粧シートを得た。なお、(1)バッカー層を構成する樹脂成分を変更することで、バッカー層のマルテンス硬さを変更することができる。
【０１４６】
≪評価方法１：化粧板の表面状態その１（被着材の表面凹凸表出抑制評価）≫
コルクボード上に水性エマルジョン接着剤（中央理化工業株式会社製リカボンドＢＡ−１０Ｌ (主剤)：ＢＡ−１１Ｂ (硬化剤)）を６〜７ｇ／尺角塗布し、化粧シートをラミネートして、室温で３日間養生することにより化粧板を作製した。化粧板の表面状態を目視により観察し、以下の評価基準に従って評価した。なお、下記評価基準において、Ａ以上の評価であれば実際の使用状況において問題がない表面状態である。
Ａ：被着材の凹凸形状が表出していない。
Ｂ：被着材の凹凸形状が若干表出している。
Ｃ：被着材の凹凸形状が明らかに表出している。
【０１４７】
≪評価方法２：化粧シートのエンボス状態（エンボス賦形性評価）≫
化粧シートのエンボス模様の状態を目視により観察し、以下の評価基準に従って評価した。なお、下記評価基準において、Ａ以上の評価であれば実際の使用状況において問題がないエンボス状態である。
Ａ：エンボス模様が明確に残っている。
Ｂ：エンボス模様が若干消失している。
Ｃ：エンボス模様が殆ど消失している。
【０１４８】
≪評価方法３：化粧板のエンボス状態（エンボスつぶれ評価）≫
化粧板のエンボス状態、すなわち、化粧シートを被着材にラミネートした後のエンボスつぶれを評価した。具体的には、パーティクルボード上に水性エマルジョン接着剤（中央理化工業株式会社製リカボンドＢＡ−１０Ｌ (主剤)：ＢＡ−１１Ｂ (硬化剤)）を６〜７ｇ／尺角塗布し、化粧シートをラミネートして、室温で３日間養生することにより化粧板を作製した。化粧板のエンボス状態を目視により観察し、以下の評価基準に従って評価した。なお、下記評価基準において、Ｂ以上の評価であれば実際の使用状況において問題がないエンボス状態である。
Ａ：エンボス模様がつぶれていない。
Ｂ：エンボス模様が若干つぶれている。
Ｃ：エンボス模様が殆どつぶれている。
【０１４９】
≪評価方法４：化粧シートの耐カール性≫
化粧シートを直径３インチ（＝７６．２ｍｍ）の紙管に巻き付け、室温で１週間放置した。化粧シートを巻き出し、カールの状態を目視により観察し、以下の評価基準に従って評価した。なお、下記評価基準において、Ａ以上の評価であれば実際の使用状況において問題がない耐カール性を備えている。
Ａ：化粧シートのカールが殆ど生じていない。
Ｂ：化粧シートが若干カールしている。
Ｃ：化粧シートが明らかにカールしている。
【０１５０】
≪評価方法５：化粧シートのロール状態（ロール形状及び化粧シート表面の割れ評価）≫
直径３インチ（＝７６．２ｍｍ）の紙管に、幅が３尺（＝９０９．０９ｍｍ）のシートを１００ｍ分巻き付けることにより、ロール状の化粧シートを得た。当該ロール状の化粧シートを目視で観察し、以下の評価基準に従って評価した。なお、下記評価基準において、Ｂ以上の評価であれば、実際の使用状況において問題がない。
Ａ：ロール形状が歪んでいない円形であって、化粧シート表面に割れがない。
Ｂ：ロール形状が若干歪んだ円形であって、化粧シート表面に割れがない。
Ｃ：(1)ロール形状が歪んだ円形であるか、(2)ロール形状が歪んでいない円形であっても化粧シート表面に割れがあるか、または(3)そもそも化粧シートをロール状にすることができない。
【０１５１】
≪評価方法６：化粧板の表面状態その２（より表面粗さの粗い被着材の表面凹凸表出抑制評価）≫
コルクボードよりも表面粗さの粗い被着材（表面粗さＲｚが通常の被着材の２倍以上である被着材）を用意した。次に、前記被着材の上に水性エマルジョン接着剤（中央理化工業株式会社製リカボンドＢＡ−１０Ｌ (主剤)：ＢＡ−１１Ｂ (硬化剤)）を６〜７ｇ／尺角塗布した後、実施例１〜３の各化粧シートをラミネートし、さらに室温で３日間養生することにより各化粧板を作製した。各化粧板の表面状態を目視により観察し、以下の評価基準に従って評価した。なお、下記評価基準において、Ｂ以上の評価であれば実際の使用状況において問題がない表面状態である。
Ａ＋：被着材の凹凸形状が表出していない。
Ａ  ：被着材の凹凸形状が僅かに表出している。
Ｂ  ：被着材の凹凸形状が若干表出している。
Ｃ  ：被着材の凹凸形状が前記Ｂ評価の場合よりも表出している。
【０１５２】
≪評価方法７：化粧シートの意匠性評価≫
まず、上述の評価方法６に記載の方法と同様の方法により、各化粧板を作製した。次いで、成人男女２０人が前記各化粧板の外観を観察し、木の質感が表現できているか否かを、以下の評価基準で評価した。なお、下記評価基準において、Ｂ以上の評価であれば実際の使用状況において問題がない表面状態である。
Ａ＋：木の質感が表現できていると判断した成人男女が９割以上。
Ａ  ：木の質感が表現できていると判断した成人男女が７割以上。
Ｂ  ：木の質感が表現できていると判断した成人男女が５割以上。
Ｃ  ：木の質感が表現できていると判断した成人男女が５割未満。
【０１５３】
結果を以下の表１〜３に示す。
【０１５４】
【表１】
0006520129.tif 000002
【０１５５】
【表２】
0006520129.tif 000003
【０１５６】
【表３】
0006520129.tif 000004
【０１５７】
【表４】
0006520129.tif 000005
【符号の説明】
【０１５８】
１．化粧シート
２．基材シート
３．絵柄模様層
４．透明性樹脂層
５．表面保護層
６．バッカー層
７．艶調整層
【図１】
0006520129.tif 000006
【図２】
0006520129.tif 000007
【図３】
0006520129.tif 000008
【図４】
0006520129.tif 000009
【図５】
0006520129.tif 000010